(57)【要約】  フローサイトメーターの作動を制御する光学的な照明と監視のサブシステムであって、フローサイトメーターがキャリア流体を有し、キャリア流体が、液滴発生器に結合された流路に沿って流れ、液滴発生器が、液滴がキャリア流体からブレークオフする位置を制御し、液滴ソーターが、液滴が複数の液滴の航路に沿って分取されるように働く。このサブシステムは、１以上の液滴の航路の各々に沿った各々の液滴監視位置を、共用レーザーを光源とするような、各々の光線で照明するように働く。各々の液滴監視位置で各々の光線を通過する液滴から発せられる、後方散乱反射に応答して、各々の光線の振幅が増幅される。従って、液滴は、各々の光線の振幅の増幅の結果として、検出可能な蛍光を発する微粒子が存在することを、検出される。
2007532874.tif 000002
【特許請求の範囲】
【請求項１】
フローサイトメーターの作動を制御する方法であって、
キャリア流体が、液滴発生器に結合された流路に沿って流れ、前記液滴発生器が、液滴が前記キャリア流体からブレークオフする位置を制御し、液滴ソーターが、選択された液滴が１以上の液滴の航路に沿って分取されるように働き、前記方法が、
（ａ）前記１以上の液滴の航路の各々に沿った各々の液滴監視位置を、各々の光線で照明する工程と、
（ｂ）前記各々の液滴監視位置で前記各々の光線を通過する液滴から発せられる後方散乱反射に応答して、前記各々の光線の振幅を増幅させる工程と、
（ｃ）前記各々の光線の振幅の前記増幅の結果として、検出可能な蛍光を発する微粒子の存在する前記液滴を検出する工程とを備える、
方法。
【請求項２】
更に、前記液滴から工程（ｃ）が蛍光を検出する程度に従い、少なくとも１つの前記液滴発生器及び前記液滴ソーターを制御する工程（ｄ）を備える、請求項１に記載の方法。
【請求項３】
工程（ａ）が、前記各々の液滴監視位置をレーザー光線で照明する工程を備え、前記レーザー光線が、光ファイバー及び焦点を合わせるように結合されたレンズにより、前記各々の液滴監視位置に導かれる、請求項１に記載の方法。
【請求項４】
工程（ｂ）が、前記後方散乱反射用の光学検出器に導く光ファイバーを通して、前記後方散乱反射を導く工程を備える、請求項３に記載の方法。
【請求項５】
工程（ｃ）が、結合された光学蛍光検出器に導く光ファイバーを通して、前記蛍光を導く工程を備える、請求項４に記載の方法。
【請求項６】
前記光学蛍光検出器が、後方散乱光の通路を除外する作用をするように組み込まれたロングパスフィルターを含む、請求項５に記載の方法。
【請求項７】
フローサイトメーターの作動を制御する配置であって、
キャリア流体が、液滴発生器に結合された流路に沿って流れ、前記液滴発生器が、液滴が前記キャリア流体からブレークオフする位置を制御し、液滴ソーターが、液滴が複数の液滴の航路に沿って分取されるように働き、前記配置が、
前記液滴の航路に隣接するようにそれぞれ配置された、複数の液滴監視位置と、
光ファイバー及び焦点を合わせるように結合されたレンズにより、各々の液滴監視位置に結合された、複数のレーザー光線出力と、
前記液滴監視位置に光ファイバーによってそれぞれ結合された、複数の後方散乱検出器と、
前記液滴監視位置に光ファイバーによってそれぞれ結合された、複数の蛍光検出器とを備える、
配置。
【請求項８】
前記レーザーのうちのそれぞれ１つが、各々の液滴監視位置で各々のレーザー光線を通過する液滴からの後方散乱反射を検出する、関連する後方散乱検出器に応答して発光される、レーザー光線のエネルギーを増加するように働く、請求項７に記載の配置。
【請求項９】
前記液滴発生器及び前記液滴ソーターのうちの少なくとも１つの作動が、蛍光検出器が液滴からの蛍光を検出する検出の程度に従って制御される、請求項８に記載の配置。
【請求項１０】
それぞれの光学蛍光検出器が、後方散乱光の通路を除外する作用をするように組み込まれたロングパスフィルターを含む、請求項５に記載の配置。
【請求項１１】
フローサイトメーターの作動を制御する光学的な照明と監視の装置であって、
前記フローサイトメーターがキャリア流体を有し、
前記キャリア流体が、液滴発生器に結合された流路に沿って流れ、前記液滴発生器が、液滴が前記キャリア流体からブレークオフする位置を制御し、液滴ソーターが、液滴が複数の液滴の航路に沿って分取されるように働き、前記装置が、
前記液滴の航路に隣接するようにそれぞれ配置された、複数の液滴監視位置と、
光ファイバー及び焦点を合わせるように結合されたレンズにより、各々の液滴監視位置に結合された、複数のレーザー光線出力と、
前記液滴監視位置に光ファイバーによってそれぞれ結合された、複数の後方散乱検出器とを備え、
それぞれのレーザーが、各々の液滴監視位置で各々のレーザー光線を通過する液滴からの後方散乱反射を検出する、関連する後方散乱検出器に応答して発光される、レーザー光線のエネルギーを増加するように働き、
更に、前記液滴監視位置に光ファイバーによってそれぞれ結合された、複数の蛍光検出器を備え、
それぞれの蛍光検出器が、前記レーザーのうちの関連する１のレーザーによって発光されるレーザー光線のエネルギーの前記増加の結果増幅された振幅の、蛍光パルスを検出するために働き、
前記液滴発生器及び前記液滴ソーターのうちの少なくとも１つの作動が、蛍光検出器が液滴からの増幅された振幅の蛍光を検出する検出の程度に従って制御される、
装置。
【請求項１２】
それぞれの光学蛍光検出器が、後方散乱光の通路を除外する作用をするように組み込まれたロングパスフィルターを含む、請求項１１に記載の装置。
【発明の詳細な説明】
【技術分野】
【０００１】
本発明は、一般にフローサイトメーターシステムとそのサブシステムに関し、特に、フローサイトメーターの液滴形成と液滴分取偏向パラメータを下流基準で調整するために、偏向しない液滴流れ及び偏向した液滴流れの多数の分取流路を設置し監視する働きをする、新規な改良されたサブシステムに関する。
【背景技術】
【０００２】
特許文献１に、「フローサイトメーターの液滴ブレークオフ位置調整メカニズム」という発明の名称で記載され、本発明の譲受人に譲渡され、その開示が本明細書に併合され、図１にダイヤグラムで示されたようなフローサイトメーターは、一般に医療産業で、診断の補助及び病気の治療のために、患者の体の中の流体中の微粒子（例えば血液細胞）を分析するために使用される。限定しない実施例として、化学療法治療期間の中で、化学療法の前に、このような計器を、患者の骨髄から取り出した一定量の血液から健康な血液細胞（幹細胞）を分取し、捕集するために使用することができる。一旦化学療法治療期間が完了すると、次に、捕集された量のこれらの細胞は、体内移行及び健康な血液細胞の再生を容易にするために、患者に再注入される。
【０００３】
この目的のために、図１に示すフローサイトメーターシステムでは、容器１１に収納された遠心分離された血液サンプルの細胞のような、分析される微粒子が、キャリア流体（例えば塩水）１２の（加圧された）連続する即ちとぎれない流れに注入される。キャリア流体流れは、流体流れチャンバー１４の流体導管１３に沿って導かれる。流体流れ導管１３は、１以上のレーザー１７のような光学照明サブシステムによって発せられる出力光線１６により、「上流」位置１５で横から照射される。レーザー出力光線１６がキャリア流体流れに遮られた後ろ側で、レーザー出力光線１６の通路に、光検出器サブシステム２０の１以上の光検出器が光学的に配置される。光検出器サブシステムは、細胞からの光の反射、細胞による光の遮断、及び、細胞に付加された蛍光染料抗体からの光の放出、を含む、流体流れ（の中の微粒子又は細胞）の内容物によって変調された光を受光するために配置される。
【０００４】
どの検出器出力信号が、どの照明された細胞を表しているかについて混乱を避けるために、サイトメーターフローチャンバーを通る流体流れ導管１３が、レーザーの出力光線１６と交差する位置１５を通る時に１つの細胞のみが通過するように、微粒子又は細胞を通すように形成され、サイズが決められる。その結果、光検出器サブシステム２０からの出力信号は、キャリア流体流れにより輸送される微粒子によって変調されるので、各変調信号は、個々の細胞と結びつけることができる。もし光検出器サブシステム２０の出力が、所望の細胞の１以上のパラメータと関連付けられる所定の「分取」基準を満たすならば、その出力は、流体流れチャンバーの出口ポート１８の「下流」に位置する静電気液滴ソーターにより、その細胞を含むキャリア流体の液滴２３の分取を制御するために使用される。
【０００５】
キャリア流体流れは、流体流れチャンバーに結合された音響（例えば圧電変換器）駆動液滴発生器２７によって個々の液滴に変えられる。出口ポート１８から離れる流体流れは、相互に連なった液滴流れ２２として流れ、次に、チャンバー出口ポートの下流の位置２５で、分離した液滴に分かれる（ブレークオフする）。また、細胞がレーザー交差位置１５を通過する時間と、それに続いて、特定の細胞を含むキャリア流体流れの最後に付着した部分が、キャリア流体流れから現実に物理的に分離、即ち、航路２６に沿って飛行する個別の液滴２３としてブレークオフする時間との間に、「分取」遅れがある。
【０００６】
液滴が流れチャンバー出口ポート１８の下流を形成する位置２５は、液滴発生起動信号の可変パラメータによって調整することができる。液滴が形成される比率は、音響駆動信号の周波数によって支配され、液滴は、液滴発生器２７のピエゾ振動の周波数と同期して発生する。限定しない実施例として、液滴発生器２７に適用される音響駆動周波数は、20.7 kPa (3 psi)から482.6 kPa(70 psi)のオーダーの流体圧力において、4から100キロヘルツのオーダーとすることができる。
【０００７】
光検出器出力は、普通、デジタル化され、次に細胞種別マップによって、又は、フローサイトメーター制御ワークステーション５０の、関連する管理制御プロセッサーにより計算される識別アルゴリズムによって、分析される。この分析に基づき、制御プロセッサーは、液滴ソーター２４の荷電偏向制御回路５２に制御信号を発信し、液滴を分取し、又は分取を終了する。フローチャンバーの出口ポート１８を出る流体流れからブレークオフする、即ち分離する、個々の液滴２３を制御分取するために、液滴ソーターは、静電気荷電環３１を使用し、静電気荷電環３１は連続する液滴の航路２６を取り囲む。静電気荷電環は、金属製の円筒を備えることができ、金属製の円筒は液滴の連続の航路２６に沿った位置を取り囲むように配置され、液滴の連続の航路２６では個々の液滴２３が流体流れから分離し、普通、（軸方向の）全長にいくつかの液滴が存在する。静電気荷電環３１は、流体チャンバー出口ポート１８の下流で、一組の静電気偏向板（極性が互いに反対で、高電圧の）３３及び３５の上流に、垂直に配置され、静電気偏向板３３及び３５の間を、荷電した液滴２３ｃが、下方に飛行するときに通過し、１以上の分取流路３６に沿って分取され、関連する分取液滴の捕集容器４１に入るか、又は、分取されずに航路を通過して、分取終了即ち廃棄の容器４３に入る。中心位置は、必ずしも廃棄の容器ではない。測定装置を通過するサンプルを、廃棄しないで捕集する、補集容器として使用される可能性もあるからである。
【０００８】
サイトメーターワークステーション５０により実行される細胞分析及び分取ルーチンの制御のもとで、所定の間隔の所定の荷電電圧パルスが、静電気荷電環に選択的に負荷され、分取される細胞を含む液滴に荷電する。選択的に荷電された液滴が２つの相反する極性の高電圧偏向板３３及び３５の間を通過する間、液滴は反対の極性を有する偏向板に引きつけられる一方、同時に、同一極性に荷電した偏向板により反発される。この、静電気偏向操作は、荷電した液滴を、分取しない液滴航路の軸から外れて分取液滴補集容器４１に入る、偏向した航路に沿って誘導する。
【０００９】
以上で分かるように、流体流れ内の、関心のある所定の細胞又は微粒子には、写真検出器サブシステム２０が特定の細胞に対して出力信号を発生する時間と、その細胞を含む液滴２３が実際に流体流れから個々に分離即ちブレークオフする、分取パルスの時間との間に、「分取」遅れがある。分取荷電パルスを与えた時に流体流れからブレークオフする、最後に付着した液滴のみが偏向板により偏向させられ、その後分取液滴補集容器に集められるので、この分取遅れの正確な時間間隔を知ることは、液滴の正確な分取を行うために重要である。
【００１０】
特許文献１に説明された発明により、フローサイトメーターには、フィードバックに基づく信号処理メカニズムが備えられ、この信号処理メカニズムは、下流の光学検出器サブシステムにより、初めに校正された（液滴分取メカニズムの液滴荷電環内の）空間位置での液滴のブレークオフポイントを維持するように作動し、光学検出器サブシステムは、荷電した液滴の偏向により生じた液滴流れの切れ目を探す。これらの液滴の切れ目が液滴流れ流路の所定の下流位置で検出される時間と、切れ目を生じた偏向した液滴が液滴荷電環で荷電される時間との間の差が、校正用の標準時間間隔と比較される。両者の間の差は、必要に応じて、測定装置を再校正するために、液滴発生器のピエゾ駆動機の調整に使用される。また、流体流れの温度と流体流れの圧力の制御が、様々な差の修正において同様に或はそれ以上に有効であると考えられている。
【００１１】
本発明は、液滴のブレークオフポイントの位置及びブレークオフポイントの下流の位置に据え付けられた補助の光学サブシステムに導入され、分取された液滴流れの組成を監視するために使用される、特許文献１に説明されたサブシステムと類似する。しかし、特許文献１で説明された流れの切れ目の探索に加え、本発明では、各液滴航路の監視位置に隣接して、補助の照明と検出のユニットを配置する。照明と監視のステーションは、液滴上の障害物の影響を最小にするために、液滴のブレークオフポイントに比較的接近して配置される。各照明と監視のステーションの目的は、液滴がステーションの視野を通過する場合に液滴を検出し、一旦液滴が検出された場合には、液滴中に含まれる可能性がある微粒子に検出容易な振幅で蛍光を発するようにさせる高エネルギーレーザー光のパルスで、その液滴を照明することである。
【００１２】
この目的のため、各照明と監視のステーションは、照明と受光レンズのユニットを備え、この照明と受光レンズのユニットの視野は、レンズが設置された流路に隣接する流路に沿って飛行する各液滴を、包囲するような大きさにされる。光ファイバーの３つのグループを１組にしたものを接続する光ファイバー端子ブロックが、各レンズに結合される。３つの光ファイバーの１番目は、連続出力で且つ制御可能なパルスを出力する半導体レーザーのような共有可視光源の出力と、結合される。端子ブロック及び関連するレンズが隣接して配置された航路に沿った液滴と交差する点は、この１番目の光ファイバーを通して、レーザーと協働して、連続的かつ制御可能なように照明される。それぞれの光ファイバー端子ブロックは、接続されたレーザーからの光が液滴の航路を横切って照明するように配置される。
【００１３】
２番目の光ファイバーは、半導体センサーに結合され、半導体センサーは、液滴が、照明と監視のステーションのうちのそれぞれの１つを通過するときに、液滴から散乱される光を検出するために働く。３番目の光ファイバーは、他の半導体センサーに結合され、この半導体センサーは、液滴からのレーザーの後方散乱を除去するために組み込まれたロングパスフィルターを含む。この半導体センサーは、関連する照明と監視のステーションのそばを通過する液滴中に存在する可能性がある微粒子によって発生される、蛍光を検出するために使用される。
【００１４】
照明される液滴中の微粒子によって普通発生される蛍光パルスの振幅は、比較的低く、特に、液滴からの後方散乱光のパルスの振幅と比較した場合、低い。本発明により、この潜在的な、低い振幅を検出する問題は、後方散乱光パルスが所定の閾値に達したことの検出信号に応答して、レーザーにより発生する照明光線の振幅を制御増幅することにより、容易に解決される。このようなことが発生した場合には、照明レーザー光線のエネルギーは、一時的に増加され、又は脈動され、おおむね増幅した振幅で蛍光を発するように、液滴中の蛍光微粒子（もしあれば)を刺激する。液滴中の微粒子によって発光された、おおむね増幅した蛍光の振幅は、半導体蛍光センサーによって容易に検出することができる。蛍光は、散乱光より大きくなる。
【００１５】
特に、本発明の有利な点は、液滴が意図された流路に分取されたことを確認することができることである。即ち、液滴のブレークオフポイントの下流に配置されることは、半導体検出器出力が、どの液滴が微粒子を含むかを示すだけではなく、これらの微粒子の蛍光特性が、意図された航路と適切に関連しているかどうかを示すことも可能にする。この情報は、サイトメーターワークステーションにより実行されるサイトメーターの細胞分析及び分取ルーチンにフィードバックされ、サイトメーターワークステーションは次に、意図された偏向流路に沿った液滴の適切な分取を確実にするために、どのような調整が適切であるかを決定する。
【００１６】
【特許文献１】米国特許No.6,079,836
【発明を実施するための最良の形態】
【００１７】
本発明による新規かつ改良された多流路配置の液滴監視サブシステムを詳細に説明する前に、本発明の目的が、第１に、従来のフローサイトメーター測定装置や、関連する信号処理装置、及び付随する監視制御回路の、これらの回路や装置の作動を制御する所定の配置の、何が効果的かという点に置かれていることに気づかなければならない。従って、これら回路や装置の構成、及びこれらが他のサイトメーターシステム装置と接続される方法は、大部分が、容易に理解できるブロックダイヤグラム形式の図面に示されてきたが、それらは、本発明に関連する特定の詳細を示すのみであり、本発明の説明の利益を有する技術の分野における通常の知識を有する者に容易に明らかとなる詳細な開示を不明確にしないようにするだけである。そこで、本発明のブロックダイヤグラムの説明図では、便利な機能別グループに分けてフローサイトメーターシステムの主要な装置を示すことが意図され、それにより本発明をより容易に理解することができるように意図されている。
【００１８】
図２を参照すると、これは、本発明の多流路液滴監視サブシステム、及びそれが、上述した、図１に示すタイプのフローサイトメーターと接続される方法、をダイヤグラムで示したものである。図２の説明図及びそれに続くダイヤグラムで、連続する流体流れが、比較的長い長方形で描かれ、一方、流体チャンバーの出口ポート部で連続する流体流れからブレークオフした個々の液滴が、比較的小さな長方形で描かれている。光学照明及び検出器が配置された画像観察位置は、円で示されている。
【００１９】
図示のように、液滴ブレークオフ光学検知サブシステム５０は、フォトダイオード又はカメラのような、一対のブレークオフ光学センサー５１と５２を備えることができ、液滴ブレークオフポイントに直面して隣接するように配置される。図３の前面図及び図４の側面図に更に示すように、液滴ブレークオフ光学検知サブシステムは、荷電環３１と同軸に配置することができる。ブレークオフ光学検知サブシステムに加えて、本発明は、複数の照明と光学監視のステーションを備え、これらは、それぞれ１以上の液滴が荷電板を出て液滴偏向板３３及び３５に加えられる互いに反対の極性の電圧によって偏向されるときに、液滴が荷電されていれば、その荷電の程度に基づいて通過する航路のそれぞれに沿った所定の位置に、隣接してそれぞれ配置される。
【００２０】
限定のない例を提供する目的で、図２と図３は、５つの航路１０１、１０２、１０３、１０４、及び１０５を有するサイトメーターサブシステムを示し、これらはそれぞれ、液滴捕集受容器１１１、１１２、１１３、１１４、及び１１５で終了する。これら５つの航路のなかで、最中央の航路１０３は、分取されない即ち分取を終了する液滴に関連し、一方、航路１０１及び１０２は、ソーターの中心軸の左に分取し、航路１０４及び１０５は、ソーターの中心軸の右に分取する。以上に示されたように、流路の照明と監視のステーションは、各流路に直面して隣接するように配置される。本発明の例の５つの流路の実施例には、それぞれ航路１０１、１０２、１０３、１０４、及び１０５に関連した、円１２１、１２２、１２３、１２４、及び１２５で示される、５つの照明と監視のステーションがある。本発明の好ましい実施例により、照明と監視のステーションは、液滴のブレークオフポイントに比較的接近して配置され、液滴上の障害物の影響を最小にする。図２及び図３のダイヤグラム図から分かるように、照明と監視のステーションは、高電圧偏向板により制限された円弧に沿って配置することができる。
【００２１】
各円は、レンズが隣接配置された流路に沿って飛行するそれぞれの液滴を包囲するような大きさの視野を有する、照明と受光レンズのユニットを示す。更に図５に、また、図６にも示すように、光ファイバー端子ブロック１３０がそれぞれのレンズ１２０に結合され、端子ブロック１３０は、一組の３本の光ファイバー１３１、１３２、及び１３３を接続する。これらの光ファイバーの１番目のファイバー１３１は、関連する光学照明源、例えば半導体レーザー１４１、の出力に結合される。端子ブロック及び関連するレンズが配置された位置に隣接した航路に沿った液滴と交差する点は、レーザー１４１と協働した、この１番目の光ファイバー１３１を通して、連続かつ制御可能なように照明される。それぞれの光ファイバー端子ブロックは、関連するレーザー半導体からの光が液滴航路に交差するように、配置される。
【００２２】
２番目の光ファイバー１３２は、半導体センサー１４２に結合され、半導体センサー１４２は、液滴が、それぞれの照明と監視のステーション１２１、１２２、１２３、１２４、及び１２５のうちの１つを通過するときに、液滴から散乱される光を検出するために働く。３番目の光ファイバー１３３は、他の半導体センサー１４３に結合され、この半導体センサー１４３は、液滴からのレーザーの後方散乱を除去するために組み込まれたロングパスフィルターを備える。この半導体センサー１４３は、照明と監視のステーションを通過する液滴中に存在する可能性がある微粒子によって発生される、蛍光を検出するために使用される。
【００２３】
図７に示すように、照明される液滴中の微粒子によって普通発せられる蛍光パルス１５２の振幅１５１は、比較的低く、特に、液滴からの後方散乱光パルス１６２の振幅１６１と比較した場合、低い。本発明により、この潜在的な、低い振幅の問題は、後方散乱光パルス１６２が所定の閾値１６３に達したことの検出信号に応答して、レーザー１４１により発生する照明光線の振幅を制御増幅することによって、容易に解決される。このようなことが発生した場合には、照明レーザー光線のエネルギーは、一時的に増加され、又は脈動され、図７に破線１６５で示すように、おおむね増幅した振幅で蛍光を発するように、液滴の中の蛍光微粒子（もしあれば)を刺激する。液滴中の微粒子によって発光された、おおむね増幅した蛍光の振幅は、今度は、半導体センサー１４３によって、特にレーザー散乱を除去するために組み込まれたロングパスフィルターを備えた半導体センサー１４３によって、容易に検出することができる。
【００２４】
通過する液滴からのレーザー光線の後方散乱が、レンズ１２０の視野の照射領域に入る液滴の最先端部として最初に検出されることに気づくであろう。この現象は、増加したエネルギー出力を有するレーザー半導体のパルス発生のトリガーを直ちに引き、液滴中の蛍光微粒子の位置を容易に知ることができる。
【００２５】
特に、本発明の有利な点は、液滴が意図された流路に分取されたことを確認できる能力である。即ち、液滴のブレークオフポイントの下流に配置されていることは、半導体検出器出力が、どの液滴が微粒子を含むかを示すだけではなく、これらの微粒子の蛍光特性が、意図された航路に適切に結び付けられているかどうかを示すことも可能とする。この情報は、サイトメーターワークステーション５０により実行されるサイトメーターの細胞分析及び分取ルーチンにフィードバックされ、意図した偏向流路に沿った液滴の適切な分取を確実にするにはどんな調整が適切であるかを決定する。
【００２６】
我々は、本発明による実施例を示し、説明してきたが、同一の実施例に限らず、本発明の属する技術の分野における通常の知識を有する者に公知の、様々な変更及び修正をすることができ、従って、我々が、本明細書に示し、記載した詳細な説明に限定することを意図しているのではなく、本発明の属する技術の分野における通常の知識を有する者に明らかな変更や修正を全て包含することを意図していることが、理解されなければならない。
【図面の簡単な説明】
【００２７】
【図１】フローサイトメーターの一般的な計器構成をダイヤグラムで表した図である。
【図２】本発明の補助の多流路液滴監視サブシステムと、それが図１に図示したタイプのフローサイトメーターシステムと接続される態様を、ダイヤグラムで表した図である。
【図３】本発明の液滴ブレークオフの光学検出サブシステムの正面図である。
【図４】本発明の液滴ブレークオフの光学検出サブシステムの側面図である。
【図５】光ファイバー端子とレンズの複数のユニットの、レーザーと、半導体検出器の組への接続を示す図である。
【図６】光ファイバー端子とレンズの個々のユニットの、レーザーとの接続及び一組の半導体検出器への接続を示す図である。
【図７】後方散乱と蛍光半導体検出器それぞれの一組による出力を示す図である。
【図１】
2007532874.tif 000003
【図２】
2007532874.tif 000004
【図３】
2007532874.tif 000005
【図４】
2007532874.tif 000006
【図５】
2007532874.tif 000007
【図６】
2007532874.tif 000008
【図７】
2007532874.tif 000009
【国際調査報告】
2007532874.tif 000010
2007532874.tif 000011
2007532874.tif 000012